(57)【要約】【課題】給気部を用いて床下空間部の換気を行う場合に、室内の空調効率が低下するのを抑制することができる床下換気構造を得る。【解決手段】床下換気構造５０は、床下空間部５２と、空調部５４と、給気部５６とを有する。床下空間部５２は、吹出口４５Ａ、４５Ｂ、４５Ｃが形成された室２２を有する建物１０の基礎１４の内側に形成されている。空調部５４は、建物１０のＹ方向及びＸ方向の少なくとも一方における中央に対する吹出口４５Ａ、４５Ｂ、４５Ｃ側とは反対側に設けられている。また、空調部５４は、吹出口４５Ａ、４５Ｂ、４５Ｃを介して室２２内へ空気を供給し且つ室２２内の空気を吸気することで室２２内を空調する。給気部５６は、吹出口４５Ａ、４５Ｂ、４５Ｃから空調部５４までの空気の流通経路における中央よりも空調部５４側に配置され、室２２内から床下空間部５２へ給気可能とされている。【選択図】図２
2019143862.tif 000002
【特許請求の範囲】
【請求項１】
空気の吹出口が形成された室を有する建物の基礎の内側に形成された床下空間部と、
前記建物の奥行方向及び該奥行方向と直交する間口方向の少なくとも一方における中央に対する前記吹出口側とは反対側に設けられ、前記吹出口を介して前記室内へ空気を供給し且つ前記室内の空気を吸気することで前記室内を空調する空調手段と、
前記吹出口から前記空調手段までの空気の流通経路における中央よりも前記空調手段側に配置され、前記室内から前記床下空間部へ給気可能とされた給気部と、
を有する床下換気構造。
【請求項２】
空気の吹出口が形成された室を有する建物の基礎の内側に形成された床下空間部と、
前記室内を区画する壁体に対する前記吹出口側とは反対側に設けられ、前記吹出口を介して前記室内へ空気を供給し且つ前記室内の空気を吸気することで前記室内を空調する空調手段と、
前記壁体に対する前記空調手段側に配置され、前記室内から前記床下空間部へ給気可能とされた給気部と、
を有する床下換気構造。
【請求項３】
前記基礎は、前記空調手段の近くに配置された第１壁部と、該第１壁部に比べて前記空調手段から遠くに配置された第２壁部とを有し、
前記第２壁部には、前記床下空間部から外側へ排気する排気部が設けられている請求項１又は請求項２に記載の床下換気構造。
【請求項４】
前記第１壁部は、前記建物の玄関の一部を構成する請求項３に記載の床下換気構造。
【請求項５】
前記給気部は、
第１給気部と、
前記第１給気部と前記排気部とを結ぶ仮想直線上から外れた場所に配置された第２給気部と、
を有する請求項３又は請求項４に記載の床下換気構造。
【請求項６】
前記第２壁部に対する前記第１壁部側とは反対側には、前記排気部の排気方向から見た場合に少なくとも一部が前記排気部と重なり、且つ前記排気部による排気を可能とする第３壁部が設けられている請求項３から請求項５のいずれか１項に記載の床下換気構造。
【請求項７】
前記給気部を開放する開放位置及び前記給気部を閉止する閉止位置に移動可能とされた開閉部材と、
前記空調手段の動作開始時には前記開閉部材を前記閉止位置に移動させる制御を行い、前記空調手段の定常動作時には前記開閉部材を前記開放位置に移動させる制御を行う制御手段と、
が設けられた請求項１から請求項６のいずれか１項に記載の床下換気構造。
【発明の詳細な説明】
【技術分野】
【０００１】
本発明は、床下換気構造に関する。
【背景技術】
【０００２】
特許文献１の床下換気システムでは、建物の一階床面に貫通された給気口と、基礎立ち上がり部の排気口に設けられた床下換気扇との間に、高湿空間部が配置されている。
【先行技術文献】
【特許文献】
【０００３】
【特許文献１】特開２０１７−３２２９号公報
【発明の概要】
【発明が解決しようとする課題】
【０００４】
給気部を用いて室内の空気を床下空間部に通気させることで床下空間部の換気を行う床下換気構造において、該室内の空調を行う空調手段が設けられたとする。この床下換気構造では、給気部を用いて床下空間部の換気を行う場合に、空調手段から室内へ吹き出された空気のほとんどが給気部を介して床下空間部に通気されてしまうと、室内の空調効率が低下することになる。
【０００５】
本発明は、給気部を用いて床下空間部の換気を行う場合に、室内の空調効率が低下するのを抑制することができる床下換気構造を得ることが目的である。
【課題を解決するための手段】
【０００６】
第１態様に係る床下換気構造は、空気の吹出口が形成された室を有する建物の基礎の内側に形成された床下空間部と、前記建物の奥行方向及び該奥行方向と直交する間口方向の少なくとも一方における中央に対する前記吹出口側とは反対側に設けられ、前記吹出口を介して前記室内へ空気を供給し且つ前記室内の空気を吸気することで前記室内を空調する空調手段と、前記吹出口から前記空調手段までの空気の流通経路における中央よりも前記空調手段側に配置され、前記室内から前記床下空間部へ給気可能とされた給気部と、を有する。
【０００７】
第１態様に係る床下換気構造では、空調手段の供給動作によって、空気が吹出口を介して室内へ供給される。そして、室内の空気は、空調手段の吸気動作によって吸気される。このように、空調手段から室内へ供給された空気が空調手段へ戻る流れが形成されることで、室内の空調が行われる。
【０００８】
また、給気部が吹出口から空調手段までの空気の流通経路に配置されているために、室内から空調手段に向かう空気の一部が、給気部を通って床下空間部へ供給される。これにより、床下空間部の換気が行われる。ここで、空調手段は、建物の奥行方向及び間口方向の少なくとも一方における中央に対する吹出口側とは反対側に設けられている。さらに、給気部は、吹出口から空調手段までの空気の流通経路における中央よりも空調手段側に配置されている。つまり、空調手段及び給気部は、吹出口から遠く離れた場所に設けられている。これにより、吹出口から室内へ供給された空気が、室内を十分に流されないうちに給気部から床下空間部へ供給されてしまうことが抑制されるので、給気部を用いて床下空間部の換気を行う場合に、室内の空調効率が低下するのを抑制することができる。
【０００９】
第２態様に係る床下換気構造は、空気の吹出口が形成された室を有する建物の基礎の内側に形成された床下空間部と、前記室内を区画する壁体に対する前記吹出口側とは反対側に設けられ、前記吹出口を介して前記室内へ空気を供給し且つ前記室内の空気を吸気することで前記室内を空調する空調手段と、前記壁体に対する前記空調手段側に配置され、前記室内から前記床下空間部へ給気可能とされた給気部と、を有する。
【００１０】
第２態様に係る床下換気構造では、空調手段の供給動作によって、空気が吹出口を介して室内へ供給される。そして、室内の空気は、空調手段の吸気動作によって吸気される。このように、空調手段から室内へ供給された空気が空調手段へ戻る空気の流れが形成されることで、室内の空調が行われる。
【００１１】
また、給気部は、壁体に対する空調手段側（吹出口側とは反対側）に配置されている。そして、室内から空調手段に向かう空気の一部が、給気部を通って床下空間部へ供給される。これにより、床下空間部の換気が行われる。ここで、空調手段及び給気部は、壁体に対する吹出口側とは反対側に設けられている。つまり、空調手段及び給気部は、吹出口から遠く離れた場所に設けられている。これにより、吹出口から室内へ供給された空気が、室内を十分に流されないうちに給気部から床下空間部へ流されてしまうことが抑制されるので、給気部を用いて床下空間部の換気を行う場合に、室内の空調効率が低下するのを抑制することができる。
【００１２】
第３態様に係る床下換気構造の前記基礎は、前記空調手段の近くに配置された第１壁部と、該第１壁部に比べて前記空調手段から遠くに配置された第２壁部とを有し、前記第２壁部には、前記床下空間部から外側へ排気する排気部が設けられている。
【００１３】
第３態様に係る床下換気構造では、床下空間部から外側へ排気する排気部が、空調手段に近い第１壁部ではなく、空調手段から遠い第２壁部に設けられている。換言すると、排気部は、給気部から遠い場所に設けられている。これにより、排気部が給気部に近い場所に設けられた構成に比べて、給気部から排気部までの空気が流れる経路の長さが長くなり、床下空間部に空気が広がり易くなるので、床下空間部の一部に空気が滞留するのを抑制することができる。
【００１４】
第４態様に係る床下換気構造の前記第１壁部は、前記建物の玄関の一部を構成する。
【００１５】
第４態様に係る床下換気構造では、第１壁部が玄関の一部を構成することで、第２壁部が玄関から離れた場所に配置されることになる。換言すると、排気部が玄関から離れた場所に配置されることで、玄関において、排気部を介して床下空間部が視認されなくなるので、玄関の見た目を損なうことを抑制することができる。
【００１６】
第５態様に係る床下換気構造の前記給気部は、第１給気部と、前記第１給気部と前記排気部とを結ぶ仮想直線上から外れた場所に配置された第２給気部と、を有する。
【００１７】
第５態様に係る床下換気構造では、床下空間部において、第１給気部から排気部へ向かう空気の流れと、第２給気部から排気部へ向かう空気の流れとが生じる。これにより、第１給気部のみを有する構成に比べて、床下空間部において空気が流れる経路が増えるので、床下空間部の一部に空気が滞留するのを抑制することができる。
【００１８】
第６態様に係る床下換気構造の前記第２壁部に対する前記第１壁部側とは反対側には、前記排気部の排気方向から見た場合に少なくとも一部が前記排気部と重なり、且つ前記排気部による排気を可能とする第３壁部が設けられている。
【００１９】
第６態様に係る床下換気構造では、排気部を建物の外側から見た場合に、第３壁部によって排気部が隠れるので、建物の見た目を損なうことを抑制することができる。
【００２０】
第７態様に係る床下換気構造には、前記給気部を開放する開放位置及び前記給気部を閉止する閉止位置に移動可能とされた開閉部材と、前記空調手段の動作開始時には前記開閉部材を前記閉止位置に移動させる制御を行い、前記空調手段の定常動作時には前記開閉部材を前記開放位置に移動させる制御を行う制御手段と、が設けられている。
【００２１】
空調手段の動作開始時には、吹出口を介して室内に供給される空気の量が少ない。このため、給気部を介して床下空間部へ一部の空気が供給された場合には、室内の空気の量が減ることになる。ここで、第７態様に係る床下換気構造では、空調手段の動作開始時において、制御手段が開閉部材を閉止位置に移動させる制御を行う。これにより、給気部を介して床下空間部に流れる空気の量が減る。換言すると、室内を流れる空気の量が減ることが抑制されるので、室内の空調効率の低下を抑制することができる。
【発明の効果】
【００２２】
以上説明したように、本発明に係る床下換気構造では、給気部を用いて床下空間部の換気を行う場合に、室内の空調効率が低下するのを抑制することができる。
【図面の簡単な説明】
【００２３】
【図１】第１実施形態に係る建物の主要部のレイアウトを示す平面図である。
【図２】第１実施形態に係る床下空間部を空気が流れる状態を示す説明図である。
【図３】（Ａ）第１実施形態に係る空調部及び給気部を示す縦断面図であり、（Ｂ）第１実施形態に係る給気部の拡大図である。
【図４】第１実施形態に係る床下換気構造における室内機の動作処理及び換気扇の動作処理の流れを示すフローチャートである。
【図５】第２実施形態に係る建物の主要部のレイアウトを示す平面図である。
【図６】（Ａ）第２実施形態に係るポーチを示す縦断面図であり、（Ｂ）第２実施形態に係る換気扇が外側壁部で覆われている状態を示す説明図である。
【図７】第２実施形態に係る床下空間部を空気が流れる状態を示す説明図である。
【発明を実施するための形態】
【００２４】
[第１実施形態]
第１実施形態に係る床下換気構造５０の一例について説明する。
【００２５】
〔全体構成〕
図１には、第１実施形態の建物１０の一階部分が示されている。建物１０は、一例として、平面視で矩形状に形成され、二階建てとされており、道路１１に面している。以後の説明では、建物１０を道路１１側から見た場合に、奥行方向をＹ方向、奥行方向と直交する間口方向をＸ方向、Ｘ方向及びＹ方向と直交する高さ方向をＺ方向と称する。本実施形態では、一例として、Ｙ方向が、建物１０の長辺方向に相当している。また、Ｘ方向が、建物１０の短辺方向に相当している。建物１０には、後述する床下換気構造５０が適用されている。
【００２６】
以後の説明では、建物１０のＹ方向における中央（一点鎖線Ｃ１で示す）に対する道路１１側を手前側と称し、Ｙ方向における中央に対する道路１１側とは反対側を奥側と称する。さらに、建物１０のＸ方向における後述する玄関１６が設けられた側を一方側と称し、Ｘ方向における中央（一点鎖線Ｃ２で示す）に対する一方側とは反対側を他方側と称する。なお、建物１０の二階部分についての図示及び説明は省略する。
【００２７】
図２に示す建物１０は、一例として、後述する基礎１４と、Ｙ方向に並んで基礎１４上に組み上げられた図示しない複数の建物ユニットとを含んで構成されている。建物ユニットは、図示を省略するが、４本の柱と、互いに平行に配置された長短２組の床大梁及び天井大梁とを有する。
【００２８】
図１に示すように、建物１０は、外壁１８を有する。外壁１８は、建物１０の内部の生活空間としての室２２内と、建物１０の外部の空間とを区画している。換言すると、建物１０は、室２２を有する。外壁１８及び室２２は、図示しない天井により上側から覆われている。また、建物１０は、一例として、玄関１６と、フロア部２４と、収納室２６と、居室２８と、台所３２と、洗面室３４と、浴室３６とを含んで構成されている。なお、本実施形態における室２２とは、一例として、フロア部２４、収納室２６、居室２８、台所３２及び洗面室３４のそれぞれを構成する床、天井、側壁及び内部空間を含んでいる。
【００２９】
玄関１６は、建物１０におけるＹ方向の手前側でかつＸ方向の一方側に配置されている。玄関１６の開閉扉１６Ａは、道路１１側に向けて開放される。玄関１６のＸ方向の他方側には、Ｙ方向に延びるフロア部２４が配置されている。フロア部２４は、Ｚ方向を厚さ方向としてＹ方向に延びる床板２４Ａを有する。床板２４Ａ上には、一階部分と二階部分とを繋ぐ階段２５が配置されている。なお、本実施形態では、一例として、フロア部２４を居室２８に含めて説明する。
【００３０】
収納室２６は、玄関１６に対するＹ方向の奥側で且つフロア部２４に対するＸ方向の一方側に配置されている。また、収納室２６は、Ｚ方向を厚さ方向としてＸ方向に延びる床板２７と、床板２７の外縁部に立設され空間部を形成する側壁部２９とを有する。床板２７のＸ方向の他方側端部には、後述する給気部５６が形成されている。また、床板２７のＸ方向の中央部には、Ｚ方向に貫通した貫通孔２７Ａが形成されている。側壁部２９は、外壁１８の一部と、側壁３１と、側壁３３と、側壁３５（図３（Ａ）参照）とを有する。外壁１８は、収納室２６のＸ方向の一方側に配置されている。
【００３１】
側壁３１は、収納室２６のＹ方向の手前側に配置され、Ｘ方向に延びると共にＺ方向に直立されている。また、側壁３１は、玄関１６と収納室２６とを区画している。側壁３３は、壁体の一例であり、収納室２６のＹ方向の奥側に配置され、Ｘ方向に延びると共にＺ方向に直立されている。また、側壁３３は、室２２を収納室２６と後述する居室２８とに区画している。
【００３２】
図３（Ａ）に示す側壁３５は、収納室２６のＸ方向の他方側に配置され、Ｙ方向に延びると共にＺ方向に直立されている。また、側壁３５は、フロア部２４と収納室２６とを区画している。側壁３５には、Ｘ方向に貫通された開口部３７が形成されている。開口部３７には、Ｙ方向に移動されることで開口部３７を開放及び閉止する扉３９が設けられている。
【００３３】
図１に示す居室２８は、フロア部２４及び収納室２６に対するＹ方向の奥側に配置されている。また、居室２８は、Ｘ−Ｙ面に沿って広がる床板２８Ａを有する。床板２８Ａは、後述する基礎１４（図２参照）に対するＺ方向の上側に配置されている。居室２８におけるＸ方向の一方側で且つＹ方向の奥側には、台所３２が配置されている。台所３２は、床板２８Ａに連続して広がる床板３２Ａを有する。
【００３４】
洗面室３４は、台所３２よりもＹ方向の奥側に配置されている。また、洗面室３４は、床板３２Ａとほぼ同じ高さで配置された床板３４Ａを有する。浴室３６は、洗面室３４よりもＸ方向の他方側に配置されている。台所３２と洗面室３４とは、壁部４４により区画されている。壁部４４の一部には開口部４４Ａが形成されている。開口部４４Ａには、引違い戸４６が設けられている。
【００３５】
床板２８Ａには、Ｚ方向に貫通され空気が吹出し可能とされた吹出口４５Ａ及び吹出口４５Ｂが形成されている。吹出口４５Ａは、一例として、床板２８ＡにおけるＹ方向の手前側且つＸ方向の一方側の領域内に形成されている。吹出口４５Ｂは、一例として、床板２８ＡにおけるＹ方向の奥側且つＸ方向の他方側の領域内に形成されている。床板３４Ａには、Ｚ方向に貫通され空気が吹出し可能とされた吹出口４５Ｃが形成されている。換言すると、室２２には、吹出口４５Ａ、４５Ｂ、４５Ｃが形成されている。吹出口４５Ａ、４５Ｂ、４５Ｃには、それぞれメッシュ状の部材が設けられている。これにより、吹出口４５Ａ、４５Ｂ、４５Ｃでは、内部への異物の侵入が抑制されると共に通気可能とされている。
【００３６】
図２に示す基礎１４は、地盤１３にコンクリートを打設することにより形成されており、Ｚ方向に直立されている。また、基礎１４は、一例として、平面視で基礎１４の大部分を構成する第１基礎部１４Ａと、第１基礎部１４Ａに対する手前側でかつ一方側に配置された第２基礎部１４Ｂとを有する。第２基礎部１４Ｂは、玄関１６の底部を構成している。さらに、基礎１４の内側面には、図示しない断熱材が取付けられている。
【００３７】
第１基礎部１４Ａの外縁部には、Ｚ方向に沿って直立する縦壁部６３が設けられている。縦壁部６３は、第１壁部の一例としての前壁部６４と、第２壁部の一例としての後壁部６５と、右壁部６６と、左壁部６７とを有する。
【００３８】
前壁部６４は、平面視した場合に、基礎１４のＹ方向の手前側でＸ方向に延びている。具体的には、前壁部６４は、平面視でクランク状に形成されており、一方側でＸ方向に沿って延びる第１縦壁６４Ａと、他方側でＸ方向に沿って延びる第２縦壁６４Ｂと、第１縦壁６４Ａと第２縦壁６４Ｂとを繋ぐ第３縦壁６４Ｃとを有する。第１縦壁６４Ａは、第２縦壁６４Ｂよりも奥側に配置されている。第３縦壁６４Ｃは、玄関１６側の空間と、後述する床下空間部５２とを区画している。そして、前壁部６４は、玄関１６の一部を構成している。
【００３９】
後壁部６５は、平面視した場合に、基礎１４のＹ方向の奥側でＸ方向に延びている。また、後壁部６５のＸ方向の中央部には、後壁部６５をＹ方向に貫通する排気口６８が形成されている。排気口６８が形成されていることによって、後述する床下空間部５２から基礎１４の外側へ排気可能となっている。
【００４０】
第２基礎部５２Ｂの上面の高さは、第１基礎部５２Ａの上面の高さよりも高い。また、第２基礎部５２Ｂは、一例として、玄関１６の「たたき」として用いられている。
【００４１】
〔要部構成〕
次に、床下換気構造５０について説明する。
【００４２】
図２に示す床下換気構造５０は、床下空間部５２と、空調手段の一例としての空調部５４と、給気部５６と、排気部の一例としての換気扇５８と、開閉部材の一例としての蓋部材６２と、制御手段の一例としての制御部６０とを有する。
【００４３】
＜床下空間部＞
床下空間部５２は、前壁部６４、後壁部６５、右壁部６６及び左壁部６７により囲まれた空間部である。換言すると、床下空間部５２は、吹出口４５Ａ、４５Ｂ、４５Ｃが形成された室２２（図１参照）を有する建物１０の基礎１４の内側に形成されている。
【００４４】
床下空間部５２には、一例として、湿度センサ６９Ａ、６９Ｂが設けられている。湿度センサ６９Ａと湿度センサ６９Ｂは、同様の構成とされており、湿度を測定して、得られた湿度情報を後述する制御部６０に送る。湿度センサ６９Ａは、一例として、床下空間部５２におけるＸ方向及びＹ方向の中央に配置されている。湿度センサ６９Ｂは、一例として、第２縦壁６４Ｂ、第３縦壁６４Ｃ及び左壁部６７で囲まれた領域内に配置されている。
【００４５】
＜空調部＞
図１に示す空調部５４は、一例として、室内機７２と、ダクト７４Ａ、７４Ｂ、７４Ｃと、後述する制御部６０と、図示しない室外機とを有する。室内機７２は、Ｘ方向の一方側で且つＹ方向における中央に対する吹出口４５Ｃ側とは反対側に設けられている。また、室内機７２は、側壁３３に対する吹出口４５Ａ側とは反対側に設けられている。
【００４６】
（室内機）
図３（Ａ）に示すように、室内機７２は、貫通孔２７Ａに挿入され床下空間部５２と収納室２６内の空間部とに跨って設置されている。具体的には、室内機７２は、略直方体状の筐体７３を有しており、床下空間部５２に配置される下部７２Ａと、収納室２６内に配置される上部７２Ｂとで構成されている。
【００４７】
下部７２Ａには、送風ユニット７６と、チャンバ７７とが設けられている。チャンバ７７には、ダクト７４Ａ、７４Ｂ、７４Ｃのそれぞれの一端部が接続されている。送風ユニット７６は、図示しないファンと、該ファンを回転させるモータとを含んで構成されている。また、送風ユニット７６は、ファンの回転によって、上部７２Ｂ側から吸気し且つチャンバ７７を介してダクト７４Ａ、７４Ｂ、７４Ｃに送風するように構成されている。なお、各図において、空気の流れは、符号無しの矢印によって示されている。
【００４８】
上部７２ＢのＸ方向の他方側下部は、床板２７に向けて開口されている。送風ユニット７６の吸気によって、扉３９の下側から床板２７に沿って流れた空気の一部は、筐体７３の上部７２Ｂ内に流入されるようになっている。また、筐体７３の上部７２Ｂ内には、熱交換ユニット７８が設けられている。熱交換ユニット７８は、図示しない複数のフィン及び伝熱管を有する。この伝熱管の内部には、熱媒体が流れている。また、伝熱管は、熱交換ユニット７８から図示しない室外機まで延びている。そして、熱交換ユニット７８と室外機との間で熱媒体が循環されるようになっている。熱交換ユニット７８により冷却又は加熱された空気は、送風ユニット７６を介してダクト７４Ａ、７４Ｂ、７４Ｃに送り込まれる。
【００４９】
（ダクト）
図１に示すダクト７４Ａの他端部は、床下空間部５２（図２参照）を通って吹出口４５Ａに接続されている。ダクト７４Ｂの他端部は、床下空間部５２を通って吹出口４５Ｂに接続されている。ダクト７４Ｃの他端部は、床下空間部５２を通って吹出口４５Ｃに接続されている。これにより、室内機７２が動作された場合に、吹出口４５Ａ、吹出口４５Ｂ及び吹出口４５Ｃから室２２へ空気が吹出される。
【００５０】
空調部５４は、吹出口４５Ａ、４５Ｂ、４５Ｃを介して室２２へ空気を供給し且つ室２２の空気を吸気することで室２２を空調する。空調とは、空気の温度及び湿度の少なくとも一方の値が設定値又は設定値に近い値となるように、空気の温度及び湿度の少なくとも一方を調整することを意味する。本実施形態では、一例として、室２２の温度の値が予め設定された設定値に近付くように、空調部５４によって空気の温度が調整されるが、空気の湿度を調整してもよい。
【００５１】
図２に示すように、空調部５４の近くには、前壁部６４が配置されている。後壁部６５は、前壁部６４に比べて空調部５４から遠くに配置されている。そして、後壁部６５の排気口６８には、後述する換気扇５８が設けられている。
【００５２】
＜給気部＞
図１に示す給気部５６は、床板２７に形成された給気口５７で構成されており、吹出口４５Ａ、４５Ｂ、４５Ｃから空調部５４までの空気の流通経路における中央よりも空調部５４側に配置され、室２２から床下空間部５２（図２参照）へ給気可能とされている。具体的には、給気部５６は、平面視して、吹出口４５Ａの中央と、室内機７２におけるＸ方向他方側の開口部分（図３（Ａ）参照）の中央とを結ぶ仮想の曲線を流通経路として、該曲線の中央よりも室内機７２側（室内機７２の付近）に配置されている。
【００５３】
同様に、給気部５６は、平面視して、吹出口４５Ｂ、４５Ｃの中央と、室内機７２の他方側の開口部分の中央とをそれぞれ結ぶ仮想の曲線を流通経路と仮定して、該曲線の中央よりも室内機７２側（室内機７２の付近）に配置されている。また、給気部５６は、側壁３３に対する空調部５４側に配置されている。そして、室２２から給気部５６（給気口５７）を介して床下空間部５２へ空気が流れる（供給される）。
【００５４】
給気口５７は、一例として、平面視でＸ方向を短手方向としＹ方向を長手方向とする矩形状に形成されている。また、給気口５７には、メッシュ状の部材が設けられている。これにより、給気口５７では、内部への異物の侵入が抑制されると共に給気可能とされている。
【００５５】
図２に示すように、平面視で、給気口５７と排気口６８とは、ほぼＹ方向に沿って並んでいる。なお、床下空間部５２において、給気口５７と排気口６８との間には、一例として、湿度センサ６９Ａを除いて他の部材が配置されていない。このため、給気口５７から流入した空気は、排気口６８に向かう直線上の経路だけでなく、右壁部６６に近い場所や左壁部６７に近い場所を通る曲線上の経路で流通可能となっている。
【００５６】
＜換気扇＞
換気扇５８は、Ｙ方向を軸方向として回転するファン５８Ａ及び図示しないモータを有しており、ファン５８Ａの回転によって、床下空間部５２から外側へ排気する（床下空間部５２を負圧状態とする）。図示しないモータの駆動制御は、後述する制御部６０により行われる。なお、換気扇５８の動作が停止されている場合であっても、排気口６８が開口されていることで、排気口６８から外側へ空気が流れる（排気される）ようになっている。
【００５７】
＜蓋部材＞
図３（Ｂ）に示す蓋部材６２は、給気口５７のほとんどを閉止可能となるように形状及び大きさが設定された、平面視で矩形状の板材で構成されている。蓋部材６２のＸ方向の一端部には、Ｙ方向の両外側へ向けて突出された軸部６２Ａが形成されている。軸部６２Ａには、図示しないギアが取付けられている。軸部６２Ａは、床板２７の給気口５７の縁部のうち、Ｙ方向に対向する縁部で且つ室内機７２に近い側の縁部により回動可能に支持されている。蓋部材６２は、軸部６２Ａを中心として回動されることで、給気部５６（給気口５７）を開放する開放位置及び給気部５６を閉止する閉止位置に移動可能とされている。
【００５８】
＜制御部＞
図１に示す制御部６０は、制御ユニット６０Ａと、操作パネル６０Ｂと、モータ６０Ｃ（図３（Ｂ）参照）とを含んで構成されている。制御ユニット６０Ａは、一例として、室内機７２に設けられている。また、制御ユニット６０Ａは、ＣＰＵ（Central Processing Unit）、ＲＯＭ（Read Only Memory）、ＲＡＭ（Random Access Memory）を含むコンピュータとして構成されている。さらに、制御ユニット６０Ａは、操作パネル６０Ｂと、湿度センサ６９Ａ、６９Ｂ（図２参照）と、室２２の図示しない温度センサとに電気的に接続されている。加えて、制御ユニット６０Ａには、室内機７２の動作、換気扇５８（図２参照）の回転動作及び蓋部材６２の開閉動作について、処理プログラム（図４にフローチャートとして示す処理）が記憶されている。
【００５９】
操作パネル６０Ｂは、一例として、壁部４４の台所３２側に設けられている。また、操作パネル６０Ｂは、室２２の居住者によって操作される。操作パネル６０Ｂでは、室２２内の温度、換気扇５８（図２参照）を作動させる湿度等が設定可能とされている。
【００６０】
図３（Ｂ）に示すモータ６０Ｃは、蓋部材６２の軸部６２Ａに取付けられた図示しないギアを回転させる。モータ６０Ｃによる蓋部材６２の駆動（回動）の制御は、制御ユニット６０Ａによって行われる。
【００６１】
図１に示す制御ユニット６０Ａは、室２２の図示しない温度センサで検知された温度が、操作パネル６０Ｂで設定された設定温度に近づくように、空調部５４を動作させる。具体的には、検知された温度が設定温度よりも低い場合には、温度の高い空気を室２２内に吹出させ、検知された温度が設定温度よりも高い場合には、温度の低い空気を室２２内に吹出させる。
【００６２】
また、制御ユニット６０Ａは、湿度センサ６９Ａ、６９Ｂ（図２参照）で測定された湿度が、操作パネル６０Ｂで設定された設定湿度に近づくように、換気扇５８（図２参照）を動作させる制御を行う。具体的には、検知された湿度が設定湿度よりも低い場合には、換気扇５８を動作させず又は換気扇５８の動作を停止させる。一方、検知された湿度が設定湿度よりも高い場合には、換気扇５８を動作させ、床下空間部５２（図２参照）の空気を外側へ排気させる。
【００６３】
さらに、制御ユニット６０Ａは、室内機７２（空調部５４）の動作開始時には、蓋部材６２を既述の閉止位置に移動させる制御を行う。一方、制御ユニット６０Ａは、室内機７２の定常動作時には、蓋部材６２を既述の開放位置に移動させる制御を行う。なお、室内機７２の動作開始時とは、室内機７２の空調動作が開始された開始時点から、ダクト７４Ａ、７４Ｂ、７４Ｃに送り込まれる空気の温度（室２２内の温度ではない）が設定温度に到達する直前の時点までの時間を意味する。また、室内機７２の定常動作時とは、ダクト７４Ａ、７４Ｂ、７４Ｃに送り込まれる空気の温度が設定温度に到達した到達時点を含み、該到達時点以降で且つ室内機７２の動作が停止されるまでの時間を意味する。
【００６４】
〔作用〕
次に、第１実施形態の床下換気構造５０の作用について図４のフローチャートを用いて説明する。なお、建物１０の各部については、図１、図２及び図３（Ａ）、（Ｂ）を参照する。
【００６５】
ステップＳ１０では、湿度センサ６９Ａ、６９Ｂによって床下空間部５２の湿度が測定される。測定された湿度の情報は、制御ユニット６０Ａに送られる。そして、ステップＳ１２に移行する。
【００６６】
ステップＳ１２では、２つの測定された湿度のうち高い方の測定値と、予め設定された設定湿度とが比較される。そして、高い方の測定値が設定湿度以上の場合には、ステップＳ１４に移行する。一方、高い方の測定値が設定湿度よりも低い場合には、ステップＳ１０に移行して、再度、湿度測定が行われる。
【００６７】
ステップＳ１４では、換気扇５８が作動される。そして、ステップＳ１６に移行する。
【００６８】
ステップＳ１６では、室２２の図示しない温度センサで検知された温度と、操作パネル６０Ｂで設定された設定温度とが比較されることで、空調部５４の作動実施の有無が判断される。検知された温度と設定温度との差が大きい場合（例えば、差が５℃以上の場合）には、ステップＳ１８に移行する。一方、検知された温度と設定温度との差が小さい場合には、空調を実施せずにステップＳ２６に移行する。
【００６９】
ステップＳ１８では、室内機７２が作動される。検知された温度が設定温度よりも高い場合には、室２２内に冷風が供給される。検知された温度が設定温度よりも低い場合には、室２２内に温風が供給される。そして、ステップＳ２０に移行する。
【００７０】
ステップＳ２０では、室内機７２が動作している時間が、定常動作時となったか否かが判断される。判断は、一例として、ダクト７４Ａ、７４Ｂ、７４Ｃに送り込まれる空気の温度が予め設定した温度に到達しているか否かによって判断される。そして、定常動作時と判断された場合には、ステップＳ２２に移行する。一方、定常動作時になっていない（動作開始時）と判断された場合には、ステップＳ２４に移行する。
【００７１】
ステップＳ２２では、蓋部材６２が開放位置に移動されることで、給気口５７が開放される。既に蓋部材６２が開放位置にある場合には、そのまま給気口５７の開放状態が保持される。そして、ステップＳ２６に移行する。
【００７２】
ステップＳ２４では、蓋部材６２が閉止位置に移動されることで、給気口５７が閉止される。既に蓋部材６２が閉止位置にある場合には、そのまま給気口５７の閉止状態が保持される。そして、ステップＳ２０に移行する。
【００７３】
ステップＳ２６では、湿度センサ６９Ａ、６９Ｂによって測定された床下空間部５２の湿度が設定湿度以下となったか否かが判断される。床下空間部５２の湿度が設定湿度以下となった場合には、ステップＳ２８に移行する。一方、床下空間部５２の湿度が設定湿度よりも高い場合には、床下空間部５２の湿度が設定湿度以下となるまで待機される。
【００７４】
ステップＳ２８では、換気扇５８の動作が停止される。そして、ステップＳ３０に移行する。
【００７５】
ステップＳ３０では、図示しない温度センサにより測定された室２２内の温度が設定温度に到達したか否かに基づいて、空調部５４（室内機７２）の動作を停止させるか否かが判断される。室２２内の温度が設定温度に到達している場合には、ステップＳ３２に移行する。一方、室２２内の温度が設定温度に到達していない場合には、室２２内の温度が設定温度に到達するまで待機される（室内機７２の動作を継続させる）。
【００７６】
ステップＳ３２では、室内機７２の動作を停止する。そして、プログラムを終了する。
【００７７】
以上、説明したように、床下換気構造５０では、空調部５４の供給動作によって、空気が吹出口４５Ａ、４５Ｂ、４５Ｃを介して室２２内へ供給される。そして、室２２内の空気は、空調部５４の吸気動作によって吸気される。このように、空調部５４から室２２内へ供給された空気が空調部５４へ戻る流れが形成されることで、室２２内の空調が行われる。
【００７８】
また、給気部５６が吹出口４５Ａ、４５Ｂ、４５Ｃから空調部５４までの空気の流通経路に配置されているために、室２２内から空調部５４に向かう空気の一部が、給気部５６を通って床下空間部５２へ供給される。これにより、床下空間部５２の換気が行われる。ここで、空調部５４は、建物１０のＹ方向及びＸ方向の少なくとも一方における中央に対する吹出口４５Ａ、４５Ｂ側とは反対側に設けられている。さらに、給気部５６は、吹出口４５Ａ、４５Ｂ、４５Ｃから空調部５４までの空気の流通経路における中央よりも空調部５４側に配置されている。
【００７９】
つまり、空調部５４及び給気部５６は、吹出口４５Ａ、４５Ｂ、４５Ｃから遠く離れた場所に設けられている。これにより、吹出口４５Ａ、４５Ｂ、４５Ｃから室２２内へ供給された空気が、室２２内を十分に流されないうちに給気部５６から床下空間部５２へ供給されてしまうことが抑制される。このため、給気部５６を用いて床下空間部５２の換気を行う場合に、室２２内の空調効率が低下するのを抑制することができる。なお、本実施形態における空調効率は、吹出口４５Ａ、４５Ｂ、４５Ｃから室２２内へ一定時間に供給された空気量に対する、収納室２６周辺での温度変化量で定義されている。
【００８０】
また、床下換気構造５０では、空調部５４及び給気部５６が、側壁３３に対する吹出口４５Ａ、４５Ｂ、４５Ｃ側とは反対側に設けられている。つまり、空調部５４及び給気部５６は、吹出口４５Ａ、４５Ｂ、４５Ｃから遠く離れた場所に設けられている。これにより、給気部５６を用いて床下空間部５２の換気を行う場合に、室２２内の空調効率が低下するのを抑制することができる。
【００８１】
さらに、床下換気構造５０では、床下空間部５２から外側へ排気する換気扇５８が、空調部５４に近い前壁部６４ではなく、空調部５４から遠い後壁部６５に設けられている。換言すると、換気扇５８は、給気部５６から遠い場所に設けられている。これにより、換気扇５８が給気部５６に近い場所に設けられた構成に比べて、給気部５６から換気扇５８までの空気が流れる経路の長さが長くなり、床下空間部５２に空気が広がり易くなるので、床下空間部５２の一部に空気が滞留するのを抑制することができる。
【００８２】
加えて、床下換気構造５０では、前壁部６４が玄関１６の一部を構成することで、後壁部６５が玄関１６から離れた場所に配置されることになる。換言すると、換気扇５８が玄関１６から離れた場所に配置されることで、玄関１６において、換気扇５８の開口を介して床下空間部５２が視認されなくなるので、玄関１６の見た目を損なうことを抑制することができる。
【００８３】
空調部５４の動作開始時には、吹出口４５Ａ、４５Ｂ、４５Ｃを介して室２２内に供給される空気の量が少ない。このため、給気部５６を介して床下空間部５２へ一部の空気が供給された場合には、室２２内の空気の量が減ることになる。ここで、床下換気構造５０では、空調部５４の動作開始時において、制御部６０が蓋部材６２を閉止位置に移動させる制御を行う。これにより、給気部５６を介して床下空間部５２に流れる空気の量が減る。換言すると、室２２内を流れる空気の量が減ることが抑制されるので、室２２内の空調効率の低下を抑制することができる。
【００８４】
なお、空調部５４の定常動作時には、吹出口４５Ａ、４５Ｂ、４５Ｃを介して室２２内に供給される空気の量が多い。このため、給気部５６を介して床下空間部５２へ一部の空気が流れても、室２２内の空気の量は、空調を行うのに必要なだけ確保される。
【００８５】
[第２実施形態]
次に、第２実施形態に係る床下換気構造１３０について説明する。なお、前述した第１実施形態と基本的に同一の部材、部位及び同一名称のものには、前記第１実施形態と同一の符号を付与してその説明を省略する。
【００８６】
図５には、建物１０（図１参照）に比べて間口の広い建物１００が示されている。建物１００は、後述する基礎１０１（図７参照）と、外壁１０２を有する。外壁１０２は、建物１００の内部の生活空間としての室１０４内と、建物１００の外部の空間とを区画している。換言すると、建物１００は、室１０４を有する。外壁１０２及び室１０４は、図示しない天井により上側から覆われている。
【００８７】
また、建物１００は、一例として、玄関１６と、居室１０６と、収納室１０８と、台所３２と、洗面室１１２と、浴室３６と、階段室１１４とを含んで構成されている。なお、本実施形態における室１０４とは、居室１０６、収納室１０８、台所３２、洗面室１１２及び階段室１１４のそれぞれを構成する床、天井、側壁及び内部空間を含んでいる。建物１００には、後述する床下換気構造１３０が適用されている。
【００８８】
建物１００を平面視して、居室１０６は、Ｙ方向の手前側でＸ方向に広がっている。また、居室１０６は、床板１０７を有する。居室１０６に対するＸ方向の一方側には、台所３２が設けられている。台所３２は、床板３２Ａを有する。居室１０６に対するＸ方向の他方側には、玄関１６が設けられている。玄関１６は、床板１７を有する。玄関１６の一部と居室１０６の一部とは、通路１１６を介して繋がっており、空気が流通可能とされている。また、玄関１６の他の部分と居室１０６の他の部分とは、Ｙ方向に沿って延びる側壁１２２により区画されている。玄関１６のＹ方向の奥側には収納室１０８が設けられている。
【００８９】
台所３２のＹ方向の奥側には洗面室１１２が設けられている。洗面室１１２は、床板１１３を有する。床板１１３は、床板３２Ａとほぼ同じ高さで配置されている。また、洗面室１１２には、Ｘ方向の一方側へ開閉可能とされた扉１１２Ａが設けられている。収納室１０８と洗面室１１２との間で且つ居室１０６に対するＹ方向の奥側には、階段室１１４と浴室３６とが設けられている。階段室１１４は、床板１１５を有する。建物１００において、外壁１０２のうち、Ｘ方向の一方側でＹ方向に延びる右壁１０２Ａに対して、台所３２及び洗面室１１２側とは反対側には、ポーチ１１８が設けられている。
【００９０】
台所３２と洗面室１１２とは、壁部１２４により区画されている。壁部１２４の一部には開口部１２４Ａが形成されている。開口部１２４Ａには、引違い戸１２６が設けられている。
【００９１】
収納室１０８は、玄関１６に対するＹ方向の奥側で且つ階段室１１４に対するＸ方向の他方側に配置されている。また、収納室１０８は、床板１０９と、床板１０９の外縁部に立設され空間部を形成する側壁部１１１とを有する。床板１０９のＹ方向の手前側端部には、後述する給気部１３４が形成されている。また、床板１０９の中央部には、Ｚ方向に貫通した貫通孔１０９Ａが形成されている。側壁部１１１は、外壁１０２の一部と、側壁１１１Ａと、側壁１１１Ｂとを有する。
【００９２】
側壁１１１Ａは、壁体の一例であり、収納室１０８のＸ方向の一方側でＹ方向に延びており、収納室１０８と階段室１１４とを区画している。側壁１１１Ｂは、収納室１０８のＹ方向手前側でＸ方向に延びており、収納室１０８と玄関１６とを区画している。側壁１１１Ｂには、Ｘ方向に貫通された開口部１１７が形成されている。開口部１１７には、Ｘ方向に移動されることで開口部１１７を開放及び閉止する図示しない扉が設けられている。
【００９３】
床板１７には、吹出口４５Ａが形成されている。床板１０７には、吹出口４５Ｂが形成されている。床板３２Ａには、吹出口４５Ｃが形成されている。床板１１３には、Ｚ方向に空気が吹出し可能とされた吹出口４５Ｄが形成されている。床板１１５には、Ｚ方向に空気が吹出し可能とされた吹出口４５Ｅが形成されている。換言すると、室１０４には、吹出口４５Ａ、４５Ｂ、４５Ｃ、４５Ｄ、４５Ｅが形成されている。吹出口４５Ａ、４５Ｂ、４５Ｃ、４５Ｄ、４５Ｅには、それぞれメッシュ状の部材が設けられている。これにより、吹出口４５Ａ、４５Ｂ、４５Ｃ、４５Ｄ、４５Ｅでは、内部への異物の侵入が抑制されると共に通気可能とされている。
【００９４】
図７に示す基礎１０１は、地盤１３にコンクリートを打設することにより形成されており、Ｚ方向に直立されている。また、基礎１０１は、一例として、基礎１０１の大部分を構成する第１基礎部１０１Ａと、第１基礎部１０１Ａに対する手前側でかつ他方側に配置された第２基礎部１０１Ｂと、第１基礎部１０１Ａに対する一方側に配置された第３基礎部１０１Ｃとを有する。第２基礎部１０１Ｂは、玄関１６の基礎部分を構成している。第３基礎部１０１Ｃは、後述するポーチ１１８の基礎部分を構成している。基礎１０１の内側面には、図示しない断熱材が取付けられている。
【００９５】
第１基礎部１０１Ａの外縁部には、Ｚ方向に沿って直立する縦壁部１３６が設けられている。縦壁部１３６は、平面視して、第１壁部の一例としての左壁部１３８と、第２壁部の一例としての内側壁部１４２と、第３壁部の一例としての外側壁部１４４と、前壁部１４６と、後壁部１４８とを有する。
【００９６】
左壁部１３８は、平面視した場合に、基礎１０１のＸ方向の他方側でＹ方向に延びている。左壁部１３８のＹ方向の手前側はクランク状に形成されている。
【００９７】
内側壁部１４２は、平面視した場合に、基礎１０１のＸ方向の一方側でＹ方向に延びている。また、内側壁部１４２のＹ方向の中央よりも奥側には、内側壁部１４２をＸ方向に貫通する排気口１５２が形成されている。排気口１５２が形成されていることによって、後述する床下空間部１３２から外側へ排気可能となっている。
【００９８】
外側壁部１４４は、内側壁部１４２に対する左壁部１３８側とは反対側に設けられる。
【００９９】
第２基礎部１０１Ｂの上面の高さは、第１基礎部１０１Ａの上面の高さよりも高い。また、第２基礎部１０１Ｂは、一例として、玄関１６の「たたき」として用いられている。
【０１００】
図６（Ａ）に示すように、ポーチ１１８は、基礎１０１の一部と、床部１２１と、側壁１２２と、屋根１２５とを有する。床部１２１は、換気扇５８の下端よりも下側に設けられている。側壁１２２は、右壁１０２ＡとＸ方向に間隔をあけて対向配置され、基礎１０１上にＺ方向に沿って立設されている。屋根１２５は、右壁１０２Ａの上部と側壁１２２の上部とを繋いでいる。これにより、ポーチ１１８は、Ｙ方向に開放された空間部を形成している。
【０１０１】
〔床下換気構造〕
図７に示す床下換気構造１３０は、床下空間部１３２と、空調部５４と、給気部１３４と、換気扇５８と、蓋部材６２と、制御部６０とを有する。
【０１０２】
＜床下空間部＞
床下空間部１３２は、前壁部１４６、後壁部１４８、左壁部１３８、内側壁部１４２により囲まれた空間部である。換言すると、床下空間部１３２は、吹出口４５Ａ、４５Ｂ、４５Ｃ、４５Ｄ、４５Ｅが形成された室１０４（図５参照）を有する建物１００の基礎１０１の内側に形成されている。
【０１０３】
床下空間部１３２には、一例として、湿度センサ６９Ａ、６９Ｂが設けられている。湿度センサ６９Ａは、一例として、床下空間部１３２におけるＸ方向及びＹ方向の中央に配置されている。湿度センサ６９Ｂは、一例として、左壁部１３８及び後壁部１４８で囲まれた領域内に配置されている。
【０１０４】
＜空調部＞
図５に示す空調部５４は、第１実施形態の空調部５４（図１参照）に、さらにダクト７４Ｄ、７４Ｅが追加された構成とされている。室内機７２は、建物１０のＸ方向中央に対する吹出口４５Ｃ、４５Ｄ側とは反対側で且つＹ方向中央に対する吹出口４５Ａ、４５Ｂ、４５Ｃ側とは反対側に設けられている。また、室内機７２は、側壁１１１Ａに対する吹出口４５Ｅ側とは反対側に設けられている。
【０１０５】
室内機７２は、貫通孔１０９Ａに挿入され床下空間部１３２（図７参照）と収納室１０８内の空間とに跨って設置されている。ダクト７４Ａは、室内機７２と吹出口４５Ａとに接続されている。ダクト７４Ｂは、室内機７２と吹出口４５Ｂとに接続されている。ダクト７４Ｃは、室内機７２と吹出口４５Ｃとに接続されている。ダクト７４Ｄは、室内機７２と吹出口４５Ｄとに接続されている。ダクト７４Ｅは、室内機７２と吹出口４５Ｅとに接続されている。これにより、室内機７２が動作された場合に、吹出口４５Ａ、４５Ｂ、４５Ｃ、４５Ｄ、４５Ｅから室１０４内へ空気が吹出される。つまり、空調部５４は、吹出口４５Ａ、４５Ｂ、４５Ｃ、４５Ｄ、４５Ｅを介して室１０４内へ空気を供給し、且つ室１０４内の空気を吸気して空気の流れを生じさせることで、室１０４内を空調する。
【０１０６】
図７に示すように、空調部５４の近くには、左壁部１３８が配置されている。内側壁部１４２は、左壁部１３８に比べて空調部５４から遠くに配置されている。そして、内側壁部１４２の排気口１５２には、換気扇５８が設けられている。
【０１０７】
図６（Ｂ）に示す外側壁部１４４は、換気扇５８の排気方向（一例としてＸ方向）から見た場合に、全体が換気扇５８と重なっている。また、外側壁部１４４は、内側壁部１４２（図７参照）とＸ方向に間隔をあけて配置されているため、換気扇５８による排気を可能としている。
【０１０８】
＜給気部＞
図５に示す給気部１３４は、床板１０９に形成された第１給気部１５４と、床板１０７に形成された第２給気部１５６とを有する。
【０１０９】
（第１給気部）
第１給気部１５４は、床板１０９における室内機７２に対するＹ方向の手前側に形成された給気口５７で構成されている。給気口５７には、蓋部材６２が給気口５７を開閉可能に設けられている。また、給気口５７は、吹出口４５Ａ、４５Ｂ、４５Ｃ、４５Ｄ、４５Ｅから空調部５４までの空気の流通経路における中央よりも空調部５４側に配置され、室１０４内から床下空間部１３２（図７参照）へ給気可能とされている。
【０１１０】
図７に示すように、平面視で、給気口５７と排気口１５２とは、ほぼＸ方向に沿って並んでいる。ここで、平面視で、給気口５７の中心となる位置と排気口１５２の中心となる位置とを結ぶ直線を仮想直線Ｇと称する。
【０１１１】
（第２給気部）
図５に示す第２給気部１５６は、給気口１５７で構成されている。給気口１５７は、一例として、床板１０７におけるＹ方向の手前側で且つＸ方向の他方側において、側壁１２２とＸ方向に隣合う場所に形成されている。給気口１５７には、蓋部材６２が給気口１５７を開閉可能に設けられている。また、給気口１５７は、吹出口４５Ｃから空調部５４までの空気の流通経路における中央よりも空調部５４側に配置され、室１０４内から床下空間部１３２（図７参照）へ給気可能とされている。
【０１１２】
図７に示すように、給気口１５７は、一例として、平面視で、仮想直線Ｇ上からＹ方向の手前側に外れた場所に配置されている。床下空間部１３２では、給気口５７から流入した空気が、仮想直線Ｇ上及び仮想直線Ｇの周辺部を流れて排気口１５２に到達される。また、床下空間部１３２では、給気口１５７から流入した空気が、仮想直線Ｇとは異なる経路で流、排気口１５２に到達される。このように、床下空間部１３２では、空気が仮想直線Ｇに沿った経路を流れるだけでなく、前壁部１４６に近い場所や後壁部１４８に近い場所を通る曲線上の経路を流れるようになっている。
【０１１３】
〔作用〕
次に、第２実施形態の床下換気構造１３０の作用について説明する。なお、建物１００の各部については、図５、図６（Ａ）、（Ｂ）及び図７を参照する。
【０１１４】
床下換気構造１３０では、空調部５４の供給動作によって、空気が吹出口４５Ａ、４５Ｂ、４５Ｃ、４５Ｄ、４５Ｅを介して室１０４内へ供給される。そして、室１０４内の空気は、空調部５４の吸気動作によって吸気される。このように、空調部５４から室１０４内へ供給された空気が空調部５４へ戻る流れが形成されることで、室１０４内の空調が行われる。
【０１１５】
また、第１給気部１５４が、吹出口４５Ａ、４５Ｂ、４５Ｃ、４５Ｄ、４５Ｅから空調部５４までの空気の流通経路に配置されている。さらに、第２給気部１５６が、吹出口４５Ｂ、４５Ｃから空調部５４までの空気の流通経路に配置されている。このため、室１０４内から空調部５４に向かう空気の一部が、第１給気部１５４及び第２給気部１５６を通って床下空間部１３２へ供給される。これにより、床下空間部１３２の換気が行われる。
【０１１６】
ここで、空調部５４及び第１給気部１５４は、吹出口４５Ａ、４５Ｂ、４５Ｃ、４５Ｄ、４５Ｅから遠く離れた場所に設けられている。これにより、吹出口４５Ａ、４５Ｂ、４５Ｃ、４５Ｄ、４５Ｅから室１０４内へ供給された空気が、室１０４内を十分に流されないうちに第１給気部１５４から床下空間部１３２へ供給されてしまうことが抑制される。このため、第１給気部１５４を用いて床下空間部１３２の換気を行う場合に、室１０４内の空調効率が低下するのを抑制することができる。なお、本実施形態における空調効率は、吹出口４５Ａ、４５Ｂ、４５Ｃ、４５Ｄ、４５Ｅから室１０４内へ一定時間に供給された空気量に対する、収納室１０８周辺での温度変化量で定義されている。
【０１１７】
また、床下換気構造１３０では、空調部５４及び第１給気部１５４が、側壁１１１Ａに対する吹出口４５Ｅ側とは反対側に設けられている。つまり、空調部５４及び第１給気部１５４は、吹出口４５Ｅから遠く離れた場所に設けられている。これにより、第１給気部１５４を用いて床下空間部１３２の換気を行う場合に、室１０４内の空調効率が低下するのを抑制することができる。
【０１１８】
さらに、床下換気構造１３０では、換気扇５８が、空調部５４から遠い内側壁部１４２に設けられている。これにより、第１給気部１５４から換気扇５８までの空気が流れる経路の長さが長くなり、床下空間部１３２に空気が広がり易くなるので、床下空間部１３２の一部に空気が滞留するのを抑制することができる。
【０１１９】
加えて、床下換気構造１３０では、左壁部１３８が玄関１６の一部を構成することで、内側壁部１４２が玄関１６から離れた場所に配置されることになる。換言すると、換気扇５８が玄関１６から離れた場所に配置されることで、玄関１６において、換気扇５８の開口を介して床下空間部１３２が視認されなくなるので、玄関１６の見た目を損なうことを抑制することができる。
【０１２０】
また、床下換気構造１３０では、床下空間部１３２において、第１給気部１５４から換気扇５８へ向かう空気の流れと、第２給気部１５６から換気扇５８へ向かう空気の流れとが生じる。これにより、第１給気部１５４のみを有する構成に比べて、床下空間部１３２において空気が流れる経路が増えるので、床下空間部１３２の一部に空気が滞留するのを抑制することができる。
【０１２１】
さらに、床下換気構造１３０では、換気扇５８によって、床下空間部１３２から外側へ排気される。ここで、換気扇５８を建物１００の外側から見た場合に、外側壁部１４４によって換気扇５８が隠れるので、建物１００の見た目を損なうことを抑制するとともに、風雨等の外部からの影響を抑制し、設備の故障や、床下空間部１３２に雨水が入ることを防ぐことができる。
【０１２２】
加えて、床下換気構造１３０では、空調部５４の動作開始時において、制御部６０が蓋部材６２を閉止位置に移動させる制御を行う。これにより、動作開始時に第１給気部１５４及び第２給気部１５６を介して床下空間部１３２に流れる空気の量が減る。換言すると、動作開始時に室１０４内を流れる空気の量が減ることが抑制されるので、室１０４内の空調効率の低下を抑制することができる。なお、空調部５４の定常動作時には、給気口５７及び給気口１５７が開放される。
【０１２３】
なお、本発明は、上記の実施形態に限定されない。
【０１２４】
床下換気構造５０において、側壁３３が設けられていなくてもよい。また、床下換気構造５０において、換気扇５８が設けられていなくてもよい。さらに、床下換気構造５０において、前壁部６４が玄関１６の一部を構成していなくてもよい。加えて、床下換気構造５０において、蓋部材６２が設けられていなくてもよい。
【０１２５】
床下換気構造１３０において、側壁１１１Ａが設けられていなくてもよい。また、床下換気構造１３０において、換気扇５８が設けられていなくてもよい。さらに、床下換気構造１３０において、左壁部１３８が玄関１６の一部を構成していなくてもよい。加えて、床下換気構造１３０において、第１給気部１５４と第２給気部１５６とが仮想直線Ｇ上に配置されていてもよい。
【０１２６】
また、床下換気構造１３０において、換気扇５８の排気方向から見た場合に、外側壁部１４４の一部が換気扇５８と重なる構成であってもよい。あるいは、換気扇５８の排気方向から見た場合に、外側壁部１４４が換気扇５８と重ならない構成であってもよい。つまり、ポーチ１１８が設けられていなくてもよい。さらに、床下換気構造１３０において、蓋部材６２が設けられていなくてもよい。加えて、床下換気構造１３０において、第２給気部１５６に蓋部材６２を設けて開閉させ、第１給気部１５４に蓋部材６２を設けずに開放させたままとしてもよい。
【０１２７】
給気部５６、第１給気部１５４、第２給気部１５６の数は、単数に限らず、複数であってもよい。また、給気部５６、第１給気部１５４、第２給気部１５６にファンを設けて給気を促進させてもよい。吹出口４５Ａ、４５Ｂ、４５Ｃ、４５Ｄ、４５Ｅは、床板に形成されるものに限らず、床板に立設された側壁の一部に形成されていてもよい。排気部は、換気扇５８のように１つに限らず、複数設けられていてもよい。
【０１２８】
湿度センサ６９Ａ、６９Ｂに換えて、温度及び湿度を測定するセンサを設けてもよい。
【符号の説明】
【０１２９】
１０  建物
１４  基礎
１６  玄関
２２  室
３３  側壁（壁体の一例）
４５Ａ  吹出口
４５Ｂ  吹出口
４５Ｃ  吹出口
５０  床下換気構造
５２  床下空間部
５４  空調部（空調手段の一例）
５６  給気部
５８  換気扇（排気部の一例）
６０  制御部（制御手段の一例）
６２  蓋部材（開閉部材の一例）
６４  前壁部（第１壁部の一例）
６５  後壁部（第２壁部の一例）
１００  建物
１０１  基礎
１０４  室
１１１Ａ  側壁（壁体の一例）
１３０  床下換気構造
１３２  床下空間部
１３８  左壁部（第１壁部の一例）
１４２  内側壁部（第２壁部の一例）
１４４  外側壁部（第３壁部の一例）
１５４  第１給気部
１５６  第２給気部
Ｇ  仮想直線
【図１】
2019143862.tif 000003
【図２】
2019143862.tif 000004
【図３】
2019143862.tif 000005
【図４】
2019143862.tif 000006
【図５】
2019143862.tif 000007
【図６】
2019143862.tif 000008
【図７】
2019143862.tif 000009